【手続補正書】
【提出日】平成16年1月29日(2004.1.29)
【手続補正１】
【補正対象書類名】明細書
【補正対象項目名】発明の名称
【補正方法】変更
【補正の内容】
【発明の名称】運行情報提供装置、運行情報提供システム、及びその方法


【手続補正２】
【補正対象書類名】明細書
【補正対象項目名】特許請求の範囲
【補正方法】変更
【補正の内容】
【特許請求の範囲】
【請求項１】
路線情報を記憶した線路情報ファイルと、
運行情報を記憶した運行情報ファイルと、
区間を指定した情報提供要求に応じて、前記線路情報ファイルに記憶された線路情報の該当区間における列車の運行情報を前記運行情報ファイルから検索して、提供情報に編集して出力する情報管理部と
を備えることを特徴とする運行情報提供装置。
【請求項２】
前記情報管理部は、外部の列車運行管理システムから順次入力される事故、不通区間及び列車遅延に関する情報を含む各列車の現在の運行情報で前記運行情報ファイルの記憶内容を更新する運行情報入力部を更に備える
ことを特徴とする請求項１記載の運行情報提供装置。
【請求項３】
前記情報管理部は、経路情報の情報検索が指定されると、前記路線情報ファイルから経路の経由駅、所要時間、料金のいずれか一つ以上を検索し、前記運行情報ファイルから運行に支障がある区間を検索して、提供情報に編集して出力する
ことを特徴とする請求項１又は２に記載の運行情報提供装置。
【請求項４】
前記列車の運行情報に不通区間が含まれる場合、不通区間を迂回する迂回路を検索する
ことを特徴とする請求項１乃至３のいずれか１項に記載の運行情報提供装置。
【請求項５】
前記列車の運行情報に不通区間が含まれる場合、不通区間を迂回する迂回路、最短時間経路、最低料金経路のいずれか一つ以上の経路を検索する
ことを特徴とする請求項１乃至３のいずれか１項に記載の運行情報提供装置。
【請求項６】
挿入された乗車券に磁気記憶された区間を読取る磁気リーダにより、前記情報提供要求の区間が指定される
ことを特徴とする請求項１乃至５のいずれか１項に記載の運行情報提供装置。
【請求項７】
路線情報を記憶した線路情報ファイルと運行情報を記憶した運行情報ファイルとを有し、
区間を指定した情報提供要求に応じて、前記線路情報ファイルに記憶された線路情報の該当区間における列車の運行情報を前記運行情報ファイルから検索して、提供情報に編集して出力する
ことを特徴とする運行情報提供方法。
【請求項８】
外部の列車運行管理システムから順次入力される事故、不通区間及び列車遅延に関する情報を含む各列車の現在の運行情報で前記運行情報ファイルの記憶内容を更新することを特徴とする請求項７記載の運行情報提供方法。
【請求項９】
経路情報の情報検索が指定されると、前記路線情報ファイルから経路の経由駅、所要時間、料金のいずれか一つ以上を検索し、前記運行情報ファイルから運行に支障がある区間を検索して、提供情報に編集して出力することを特徴とする請求項７又は８に記載の運行情報提供方法。
【請求項１０】
前記列車の運行情報に不通区間が含まれる場合、不通区間を迂回する迂回路を検索することを特徴とする請求項７乃至９のいずれか１項に記載の運行情報提供方法。
【請求項１１】
前記列車の運行情報に不通区間が含まれる場合、不通区間を迂回する迂回路、最短時間経路、最低料金経路のいずれか一つ以上の経路を検索することを特徴とする請求項７乃至９のいずれか１項に記載の運行情報提供方法。
【請求項１２】
挿入された乗車券に磁気記憶された区間を読取る磁気リーダにより、前記情報提供要求の区間が指定されることを特徴とする請求項７乃至１１のいずれか１項に記載の運行情報提供方法。
【請求項１３】
情報端末に運行情報を提供する運行情報提供システムにおいて、
線路情報ファイル及び運行情報ファイルを有し、外部からの区間を指定した情報提供要求に応じて、前記線路情報ファイルに記憶された線路情報の該当区間における列車の運行情報を前記運行情報ファイルから検索して、提供情報に編集して出力する情報管理部と、
この情報管理部の線路情報ファイル及び運行情報ファイルに記憶された路線情報及び運行情報のうち自己管轄に所属する路線情報及び運行情報を記憶する提供情報ファイルを有し、外部からの区間を指定した情報提供要求に応じて、前記提供情報ファイルに記憶されている列車の運行情報を検索して、提供情報に編集して出力するとともに、該当列車の運行情報が検索されなかったとき、前記情報提供要求を前記情報管理部へ送信して情報管理部から受信した提供情報を出力する複数の下位情報管理部と、
前記情報端末からの情報提供要求を受信して前記下位情報管理部へ送信すると共に、前記下位情報管理部から受信した要求先を指定した提供情報を、指定された情報端末へ出力する複数の中継部と
を備えることを特徴とする運行情報提供システム。
【請求項１４】
前記各下位情報管理部の管轄を列車単位に設定し、かつ、前記各中継部は、各列車内に配設され、該当列車の乗客が所持する情報端末からの情報提供要求を受信することを特徴とする請求項１３記載の運行情報提供システム。
【請求項１５】
前記各下位情報管理部は各駅に配設され、かつ前記提供情報ファイル内に前記路線情報及び運行情報の他に該当駅の地図情報を記憶保持し、前記情報端末に、前記中継部を介して前記各下位情報管理部に記憶保持された地図情報を提供して表示させることを特徴とする請求項１３記載の運行情報提供システム。
【請求項１６】
前記各中継部は各駅における複数箇所に配設され、自己を特定する電波を放射し、前記各下位情報管理部は、各駅に配設され、かつ前記提供情報ファイル内に路線情報及び運行情報の他に該当駅の前記各中継部の設置位置を含む地図情報を記憶し、前記中継部を介して前記情報端末から入力された移動目的地に応じて、該当移動目的地へ移動するときに通過する各中継部の通過順序を該当情報端末へ送信し、前記情報端末に、受領した通過順序で自己が向かう各中継部の方向を表示させることを特徴とする請求項１３記載の運行情報提供システム。
【手続補正３】
【補正対象書類名】明細書
【補正対象項目名】０００１
【補正方法】変更
【補正の内容】
【０００１】
【発明の属する技術分野】
本発明は鉄道交通機関における路線情報や列車運行情報を各個人に直接提供する運行情報提供装置、運行情報提供方法、及び運行情報提供システムに関する。


【手続補正４】
【補正対象書類名】明細書
【補正対象項目名】０００９
【補正方法】変更
【補正の内容】
【０００９】
本発明はこのような事情に鑑みてなされてものであり、駅又は列車を利用する各旅客が所持する携帯型の情報端末から情報管理部に対して個別に各情報のアクセスを可能にすることによって、各旅客は、多数の情報のなかから自己に必要な情報のみを把握することができ、各駅員や車掌の旅客案内業務を軽減でき、かつ駅構内放送や表示装置を用いて不特定多数の旅客に告知する内容を必要最小限に減少できる運行情報提供装置、運行情報提供方法、及び運行情報提供システムを提供することを目的とする。


【手続補正５】
【補正対象書類名】明細書
【補正対象項目名】００１０
【補正方法】変更
【補正の内容】
【００１０】
【課題を解決するための手段】
上記課題を解消するために、請求項１の運行情報提供装置においては、路線情報を記憶した線路情報ファイルと、運行情報を記憶した運行情報ファイルと、区間を指定した情報提供要求に応じて、線路情報ファイルに記憶された線路情報の該当区間における列車の運行情報を運行情報ファイルから検索して、提供情報に編集して出力する情報管理部とを備えている。
【手続補正６】
【補正対象書類名】明細書
【補正対象項目名】００１１
【補正方法】変更
【補正の内容】
【００１１】
請求項２においては、上述した発明の運行情報提供装置における情報管理部は、外部の列車運行管理システムから順次入力される事故、不通区間及び列車遅延に関する情報を含む各列車の現在の運行情報で運行情報ファイルの記憶内容を更新する運行情報入力部を有する。


【手続補正７】
【補正対象書類名】明細書
【補正対象項目名】００１２
【補正方法】変更
【補正の内容】
【００１２】
また、請求項３においては、上述した発明の運行情報提供装置における情報管理部は、経路情報の情報検索が指定されると、路線情報ファイルから経路の経由駅、所要時間、料金のいずれか一つ以上を検索し、運行情報ファイルから運行に支障がある区間を検索して、提供情報に編集して出力する。
【手続補正８】
【補正対象書類名】明細書
【補正対象項目名】００１３
【補正方法】変更
【補正の内容】
【００１３】
請求項４は、上述した発明の運行情報提供装置において、列車の運行情報に不通区間が含まれる場合、不通区間を迂回する迂回路を検索する。
【手続補正９】
【補正対象書類名】明細書
【補正対象項目名】００１４
【補正方法】変更
【補正の内容】
【００１４】
請求項５は、上述した発明の運行情報提供装置において、列車の運行情報に不通区間が含まれる場合、不通区間を迂回する迂回路、最短時間経路、最低料金経路のいずれか一つ以上の経路を検索する。
【手続補正１０】
【補正対象書類名】明細書
【補正対象項目名】００１５
【補正方法】変更
【補正の内容】
【００１５】
請求項６は、上述した発明の運行情報提供装置において、挿入された乗車券に磁気記憶された区間を読取る磁気リーダにより、情報提供要求の区間が指定される。
【手続補正１１】
【補正対象書類名】明細書
【補正対象項目名】００１６
【補正方法】変更
【補正の内容】
【００１６】
請求項７乃至請求項１２の各発明は、請求項１乃至請求項６の各運行情報提供装置を実現するための運行情報提供方法である。
また、請求項１３は、情報端末に運行情報を提供する運行情報提供システムである。
そして、線路情報ファイル及び運行情報ファイルを有し、外部からの区間を指定した情報提供要求に応じて、線路情報ファイルに記憶された線路情報の該当区間における列車の運行情報を運行情報ファイルから検索して、提供情報に編集して出力する情報管理部と、この情報管理部の線路情報ファイル及び運行情報ファイルに記憶された路線情報及び運行情報のうち自己管轄に所属する路線情報及び運行情報を記憶する提供情報ファイルを有し、外部からの区間を指定した情報提供要求に応じて、提供情報ファイルに記憶されている列車の運行情報を検索して、提供情報に編集して出力するとともに、該当列車の運行情報が検索されなかったとき、情報提供要求を前記情報管理部へ送信して情報管理部から受信した提供情報を出力する複数の下位情報管理部と、情報端末からの情報提供要求を受信して下位情報管理部へ送信すると共に、下位情報管理部から受信した要求先を指定した提供情報を、指定された情報端末へ出力する複数の中継部とを備えている。
請求項１４は、上述した発明の運行情報提供システムにおいて、各下位情報管理部の管轄を列車単位に設定し、かつ、各中継部は、各列車内に配設され、該当列車の乗客が所持する情報端末からの情報提供要求を受信する。
請求項１５は、上述した発明の運行情報提供システムにおいて、各下位情報管理部は各駅に配設され、かつ提供情報ファイル内に路線情報及び運行情報の他に該当駅の地図情報を記憶保持し、情報端末に、中継部を介して各下位情報管理部に記憶保持された地図情報を提供して表示させる。
請求項１６は、上述した発明の運行情報提供システムにおいて、各中継部は各駅における複数箇所に配設され、自己を特定する電波を放射し、各下位情報管理部は、各駅に配設され、かつ提供情報ファイル内に路線情報及び運行情報の他に該当駅の各中継部の設置位置を含む地図情報を記憶し、中継部を介して情報端末から入力された移動目的地に応じて、該当移動目的地へ移動するときに通過する各中継部の通過順序を該当情報端末へ送信し、情報端末に、受領した通過順序で自己が向かう各中継部の方向を表示させる。
【手続補正１２】
【補正対象書類名】明細書
【補正対象項目名】００１７
【補正方法】変更
【補正の内容】
【００１７】
このように構成された、運行情報提供方法が適用される運行情報提供装置、及び運行情報提供システムにおいては、例えば情報管理部は鉄道会社の列車運行管理システムが設置された運行管理室内に設置され、各中継部は各駅に設置される。各旅客は携帯型の情報端末を所持している。


【手続補正１３】
【補正対象書類名】明細書
【補正対象項目名】００１９
【補正方法】変更
【補正の内容】
【００１９】
したがって、各旅客は自己が所持する情報端末で、自己が希望する区間の列車の運行状況を即座に把握できる。
また、外部の列車運行管理システムにて把握されている事故、不通区間及び列車遅延に関する情報を含む各列車の現在の運行情報で情報管理部の運行情報ファイルの記憶内容を更新している。したがって、各旅客はたとえ事故発生時においても、自己が必要とする区間における最新の情報を常にリアルタイムで把握できる。


【手続補正１４】
【補正対象書類名】明細書
【補正対象項目名】００２０
【補正方法】変更
【補正の内容】
【００２０】
また、定期乗車券や行先情報が表記された切符を情報端末に挿入すると、この乗車券に磁気記録された区間が磁気リーダで自動的に読取られるので、旅客は区間をキーボード等を用いてマニュアル操作で入力する必要がなく、情報端末の操作性を向上できる。


【手続補正１５】
【補正対象書類名】明細書
【補正対象項目名】００２１
【補正方法】変更
【補正の内容】
【００２１】
また、情報管理部と中継部との間に下位情報管理部が設けられている。この下位情報管理部内の提供情報ファイル内には、情報管理部の線路情報ファイル及び運行情報ファイルに記憶された路線情報及び運行情報のうち自己管轄に所属する路線情報及び運行情報を記憶する。


【手続補正１６】
【補正対象書類名】明細書
【補正対象項目名】００２４
【補正方法】変更
【補正の内容】
【００２４】
さらに、各下位情報管理部の管轄が列車単位に設定されており、かつ各中継部は各列車内に配設されているので、各列車の乗客は自己が乗車している列車に関する運行情報を自己が所持している情報端末を用いて適格に把握できる。


【手続補正１７】
【補正対象書類名】明細書
【補正対象項目名】００２５
【補正方法】変更
【補正の内容】
【００２５】
また、各下位情報管理部は、各駅の地図情報を記憶しているので、各旅客は自己が位置する駅の地図情報を自己が所持する情報端末で確認できる。


【手続補正１８】
【補正対象書類名】明細書
【補正対象項目名】００２６
【補正方法】変更
【補正の内容】
【００２６】
また、各下位情報管理部は各駅の地図情報を記憶すると共に、各中継部は各駅における複数位置に配設されると共に、自己を特定する電波を放射している。


【手続補正１９】
【補正対象書類名】明細書
【補正対象項目名】００２８
【補正方法】変更
【補正の内容】
【００２８】
【発明の実施の形態】
以下本発明の各実施形態を図面を用いて説明する。
（第１実施形態）
図１は第１実施形態に係わる運行情報提供方法が適用される運行情報提供装置が組込まれた運行情報提供システムとしての個人向鉄道運行情報提供システムの概略構成を示すブロック図である。


【手続補正２０】
【補正対象書類名】明細書
【補正対象項目名】００３１
【補正方法】変更
【補正の内容】
【００３１】
情報管理部１は、コンピュータ等の一種の情報処理装置であり、例えば図２に示すように構成されている。
この情報管理部１内には、この鉄道会社の各路線、各駅、各駅相互間の所要時間、料金、各駅の情報等の路線情報を記憶する路線情報ファイル１１、事故情報、発着時刻、遅れ時間、運休等を含む各列車の現在の運行情報を記憶する運行情報ファイル１２、外部の列車運行管理システム１４から順次入力される事故、不通区間及び列車遅延に関する情報を含む各列車の現在の運行情報で運行情報ファイル１２の記憶内容を更新する運行情報入力部１３が設けられている。


【手続補正２１】
【補正対象書類名】明細書
【補正対象項目名】００４０
【補正方法】変更
【補正の内容】
【００４０】
ここで、旅客が選択する経路情報の検索要求として、例えば、行先に該当する経路の経由駅、所要時間、料金など、また、列車運行に支障がある区間がある場合、迂回の経路等がある。


【手続補正２２】
【補正対象書類名】明細書
【補正対象項目名】００５２
【補正方法】変更
【補正の内容】
【００５２】
次に、情報管理部１の具体的処理手順を図６の流れ図に従って説明する。
前述したように、外部の列車運行管理システム１４から順次入力される事故、不通区間及び列車遅延に関する情報を含む各列車の現在の運行情報が入力されると、この運行情報を取込んで、運行情報ファイル１２を更新する（Ｐ２１）。


【手続補正２３】
【補正対象書類名】明細書
【補正対象項目名】００８２
【補正方法】変更
【補正の内容】
【００８２】
なお、提供情報ファイル４３から該当情報が検索できなかった場合は、情報端末３から受信した情報提供要求ｅを情報管理部１へ転送する(4-5) 。情報管理部１は下位情報管理部４から情報提供要求ｅを受領すると(1-1) 、路線情報ファイル１１及び運行情報ファイル１２の情報を用いて提供情報ｆを作成して(1-2) 、作成した提供情報ｆを要求元の下位情報管理部４へ返信する(1-3) 。


【手続補正２４】
【補正対象書類名】明細書
【補正対象項目名】００９５
【補正方法】変更
【補正の内容】
【００９５】
したがって、情報管理部１の機能が各下位情報管理部４に分散されることとなり、情報管理部１の処理負担が軽減すると共に、各旅客にとっても情報端末３から情報提供要求ｅを送出した場合に下位情報管理部４または情報管理部１がビジィ状態である確率が低下する。


【手続補正２５】
【補正対象書類名】明細書
【補正対象項目名】０１２１
【補正方法】変更
【補正の内容】
【０１２１】
【発明の効果】
以上説明したように本発明の運行情報提供装置、運行情報提供方法、及び運行情報提供システムにおいては、駅又は列車を利用する各旅客が所持する携帯型の情報端末から情報管理部に対して自己が直接関係する路線情報や列車運行情報を個別にアクセス可能としている。